Podtech/llm-jp-corpus-v4-ja_patent huggingface dataset:
(57)【要約】      （修正有）【課題】タイヤのパンクを運転者に早く知らせる装置を提供する。【解決手段】ケーシングの中にスプリングとＴ型接触弁を設ける。パンクした時タイヤの空気が減り虫を圧着する力がなくなり、虫が解放される。即ち、スプリングの力により発信機と蓄電池の間を置いていたが押されて接触する。ロッドが虫を押すので、虫が解放される。この時、発信機と蓄電器は接触し、通電し、発信機から外の運転者の受信機に知らせる。【選択図】図１
0003179997.tif 000002
【実用新案登録請求の範囲】
【請求項１】
ケーシングの内部にスプリングを設け、Ｔ型接触弁を設け、そのロッドが伸びタイヤ側の虫に届いたもので、蓄電池と発信器は普段は間隔をおいているが、パンクの時は虫が解放されロッドが前に進み、蓄電池が発信機にスプリングに押され接触することを特徴とする自動車のパンクを運転者に知らせる装置。
【考案の詳細な説明】
【技術分野】
【０００１】  本考案は自動車のパンクを運転者に知らせる装置に関する。
【背景技術】
【０００２】  自動車がパンクした時、運転者が早く知らないと、タイヤが破損する等、種々な問題が生じる。
【考案が解決しようとする課題】
【０００３】  本考案はスプリングにより常時蓄電池を押し、パンクすると蓄電池と発信機が接触し、通電し運転者に知らせる。
【課題を解決するための手段】
【０００４】  ケーシングの内部にスプリングを設け、Ｔ型接触弁を設け、そのロッドが伸びタイヤ側の虫に届いたもので蓄電池と発信機は普段は間隔をおいているがパンクの時は虫が解放されロッドが前に進み、蓄電池が発信機にスプリングにおされて接触することを特徴とする、自動車のパンクを運転者に知らせる装置である。
【考案の効果】
【０００５】  パンクを運転者に早く知らせることにより、早く運転者がパンクに対し対処でき種々の不都合も防げる。
【図面の簡単な説明】
【０００６】
【図１】  図１は断面図である。
【考案を実施するための形態】
【０００７】  スプリングが蓄電池を押しており、パンクの時は虫が解放されているので蓄電池が押され、発信機の接触面で接触し、即ちＴ型接触弁が押されロッドが虫を解放するので、蓄電池と発信機の間隔が無くなり、接触し、通電する。
【実施例】
【０００８】  ケーシング（１）、本体（２）の内にスプリング（３）が設けられ、スプリング（３）は常にＴ型接触弁（４）を蓄電池（５）側に押している。蓄電池（５）は発信機（６）と間隔を置いている。この間隔があると通電せず、接触すると通電する。いつもはＴ型接触弁は伸びてロッド（７）がタイヤ側の虫にストップされ、間隔を置いている。【０００９】  パンクするとタイヤ側の虫（８）が後退し発信機（６）と蓄電池（５）は接触する。すると、通電し発信機につながった受信機（９）に知らせる。タイヤ側の虫は、いつもはタイヤの空気圧により閉じているがパンクするとタイヤの空気圧が減るのでタイヤの虫の嵌っている孔は解放される。するとロッド（７）がスプリング（３）の力で前進し、発信機（６）と蓄電池（５）は接触面（１０）で接触し、通電する。【００１０】  （１１）はキャップでケーシング（１）の蓋であり（１２）は機能チェック弁で、頭を軽く２〜３回押してベルが働いているかどうかを確認する。（１３）は電磁圧遮断装置であり、（１４）は調整座金である。【００１１】  この検知器は、トラック及びバス等のタイヤの空気注入口にネジ込んで直接取り付ける。検知器本体の長さは大体７ｃｍから８ｃｍで径にして１ｃｍから１．２ｃｍ位であり、発信器及び蓄電池からの信号は車体下部に取り付けてある受信器で受信し、運転者に知らせる。即ち、検知器はタイヤの回転と一緒に回転する。【００１２】  人間の中指程のゴム製のカバーを本体にかぶせ雨水から保護する。カバーをかぶせた状態でも機能チェックができる。
【符号の説明】
【００１３】１．ケーシング
２．本体
３．スプリング
４．Ｔ型接触弁
５．蓄電池
６．発信機
７．ロッド
８．タイヤ側の虫
９．受信機
１０．接触面
１１．キャップ
１２．機能チェック弁
１３．電磁遮断圧紙
１４．調整座金
【図１】
0003179997.tif 000003
(57)【要約】      （修正有）【課題】脈拍と体温を自動的に測定し、介護士の手を煩わすことなくそのデータをいつも監視するシステムを提供する。【解決手段】脈拍、体温を測定するセンサーパッド部とセンサーの信号処理と、データを送信する無線部と、電源部とをベルトに収納し、腕に固定する。データを受信する無線部と、データをデータベース化するＰＣ部を備え、ＰＣ部が緊急時の管理を行う。【選択図】図２
0003179962.tif 000002
【実用新案登録請求の範囲】
【請求項１】
患者の体温・脈拍を時間毎に自動測定し無線機器にてデータをホストＰＣに送信するユニット。
送信されたデータを受信しＰＣでデータを管理するシステム。
【考案の詳細な説明】
【技術分野】
【０００１】本考案は、老人ホーム等で介護されている老人等の脈拍と体温を定時間毎に測り体調を管理するシステムに関するものである。
【背景技術】
【０００２】老人ホーム等で深夜に介護士の方々が、入院している老人の脈拍や体温などを測定し体調の管理を行なっているが、人手不足等の理由により常に管理ができないため、不慮の事故などが発生する場合がある。
【先行技術文献】
【特許文献】
【０００３】
【特許文献１】特開２００２−３４９４１（Ｐ２００２−３４９４１Ａ）
【非特許文献】
【０００４】
【非特許文献１】
【考案の概要】
【考案が解決しようとする課題】
【０００５】現状、介護される老人の数が年々増加している。その為の施設も増加しているがその逆に、介護する介護士の人員が不足して来ている。その為に色々な不備が情報として我々の耳にも聞こえてくる。その一つが人員不足から入院している人の体調変化に気がつかず大事になるケースや、深夜安眠中に体温や脈拍の測定で起こされ、熟睡できず体調を壊す人もいる話を聞く事が多々ある。現状の問題点を解決するためには介護士の手を煩わせる事もなく、また、入院患者に違和感や負担を生じさせる事がなく、定時間毎に体温と脈拍を自動で測定し異常時（体温変化・脈拍数異常）速やかに担当看護士に通報できるシステムで、前述の様な不慮の事故などを防止する事が可能になり問題を解決する事ができる。
【課題を解決するための手段】
【０００６】本考案は、体温測定と脈拍測定を行なう回路と無線機器及び動力用バッテリーを手首に取付可能なバンドと一体化させ、定時間毎に体温・脈拍を測定し結果を無線機器で端末のパソコンに送信する。パソコンで受信した各々のデータをグラフ化しモニターで確認ができるようにする。また各々の異常値を設定する事でデータに異常が発生したとパソコンが判断したとき、担当看護士の携帯電話にメールで異常を通報すると共にパソコン本体でも何らかの音を発生させ異常時の対応を速やかに行なうようにする事で本問題点が解決できる。
【考案の効果】
【０００７】前述の様に、入院している老人の体調管理で最低限必要な体温と脈拍の管理を自動で行われる事により、看護士の労力を減らす事ができ、その分、他の介護に時間を費やせることで介護全体を充実させる事ができる。また、入院している老人の方々も熟睡中に起こされる事が無く自動的に体温と脈拍が測定されるため睡眠不足になる事が無く、その事による体調不良の発生を防止できる。
【図面の簡単な説明】
【０００８】
【図１】腕に取り付けるバンドの構成図とブロック図である。
【図２】システム全体のブロック図である。
【図３】実際の運用を行なう説明図である。
【考案を実施するための形態】
【０００９】バンドから出ているセンサーパッドを腕の毛細血管のある位置に貼る。
次に、パッドを押さえる様にバンドを腕に巻きセンサーパッドからのリード線を邪魔にならないように処理する。バンドに付いている電源ＳＷをＯＮする。
ＳＷを入れた後から３０分毎に自動で脈拍と体温を測定しデータを無線で受信局にデータを渡す。
【００１０】パソコンの電源を投入する（初期設定及び各個人の情報は入力済とする）受信局が開局される。バンドから送信されるデータをパソコンで確認する。
パソコンで受信したデータをデータベース化し管理する。
【００１１】前述の状態で通信が行なわれているとき、脈拍または体温で異常とパソコンが判断したとき、パソコンで登録してある携帯電話のメールアドレスに異常内容を通知し担当の介護士に異常状態を伝達する。パソコン本体でも異常音を発し周りにいる係員にも異常を伝達する。
【実施例】
【００１２】以下、添付図面に従って一実施例を説明する。１は耐久性のプラスチックス等適宣素材にて一体化形成された制御及び増幅回路基板と無線機器及びバッテリーを収納するケース、２は１のケースを取り付け、腕に巻きつけられる伸縮のできるマジックテープの付いたバンド。３はシリコン素材でできたセンサーパッド。
３のセンサーパッドを腕の血管が出ている部分に当てる。【００１３】３のパッドの部分を固定するように、２のバンドを３のパッドの上から巻きつける【００１４】１のケース内に収納されている、無線機器から測定したデータを４の受信機器に送信する。
受信したデータを５のＰＣにＲＳ−２３２Ｃを使用し転送を行なう。【００１５】５のＰＣで受信したデータを各人のデータとしてデータベース化する。
データベース化されたデータをＰＣは常に管理を行い、あらかじめ各自の異常値の設定データと比較を常時行なう。【００１６】５のＰＣで異常と判断したとき、５のＰＣ自体で異常警報音を発生を行ない、同時に、５のＰＣに登録されている携帯電話のメールアドレス宛に異常内容を転送する。
その事により、携帯電話から速やかに担当者は異常を確認する事ができる。
【符号の説明】
【００１７】１    収納ケース
２    バンド
３    取付パッド
４    受信機
５    ＰＣ（パソコン）
【図１】
0003179962.tif 000003
【図２】
0003179962.tif 000004
【図３】
0003179962.tif 000005
【手続補正書】
【提出日】平成24年7月23日(2012.7.23)
【手続補正１】
【補正対象書類名】実用新案登録請求の範囲
【補正対象項目名】全文
【補正方法】変更
【補正の内容】
【実用新案登録請求の範囲】
【請求項１】
本システムにおいて、
（１）脈拍、体温を測定するセンサーパッド部、
（２）センサーの信号処理部、
（３）処理されたデータを無線送信する無線部、
（４）（２）と（３）を駆動させるための電源部、
（５）（１）〜（４）を収納し腕に固定するベルト、
（６）データ送信された無線データを受信する無線部、
（７）受信したデータをデータベース化及び緊急時の管理を行なうＰＣ部、
以上の（１）〜（７）の構成からなる生存監視システム。
【手続補正２】
【補正対象書類名】明細書
【補正対象項目名】００１２
【補正方法】変更
【補正の内容】
【００１２】以下、添付図面に従って一実施例を説明する。１は耐久性のプラスチック等適宣素材にて一体化形成された制御及び増幅回路基板と無線機器及びバッテリーを収納するケース、２は１のケースを取付、手首に巻きつけられる伸縮のできるマジックテープ（商標登録）の付いたバンド。３はシリコン素材でできたセンサーパッド。
３のセンサーパッドを手首の血管が出ている部分に当てる。
(57)【要約】【課題】  本考案は、初心者がパソコンのキーボードのキーを押す動作を、スムースに習熟するための手っ甲バンドによる速成練習用具を提供する。【解決手段】  本考案の手っ甲バンドの形状１，２は、親指を除く他の４指（左手）１ａ，１ｂ，１ｃ，１ｄ，（右手）２ａ，２ｂ，２ｃ，２ｄの根元から手の甲側にあたる部所に、キーを打つ指の下方に位置したところに文字を付与し、キーを打つ手順を明確にしたため正確にスムースな手指の動作を得ることにより速やかに効率よく習得できる。【選択図】図１
0003179967.tif 000002
【実用新案登録請求の範囲】
【請求項１】
初心者がパソコンのキーボードのキーを打つ動作をスムースに習熟するために、各指の打つキーを正確に速く習得できるよう手っ甲バンドの手の甲側に文字を付与した手っ甲バンドによるキーボード速成練習用具。
【請求項２】
手っ甲バンドは、親指に関係しない手の甲側数センチの幅にキーを打つ指の下方に位置したところに文字を付与し、キーを打つ手順を明確にしたことを特徴とする請求項１記載の手っ甲バンドによるキーボード速成練習用具。
【考案の詳細な説明】
【技術分野】
【０００１】  本考案は、初心者がパソコンのキーボードのキーの文字を打つ動作を、速やかに習熟するための手っ甲バンドによるキーボード速成練習用具に関する。
【背景技術】
【０００２】  キーボードのキーを打つ動作は、キーボードのキーの文字を目視で確認しながら各々の指でキーを打っている。
【考案の概要】
【考案が解決しようとする課題】
【０００３】  キーボードのキーを速やかにスムースに打つために指を効果的に使えるようにする。これらの課題を解決するのが本考案の目的である。【０００４】  このためには、各指のキーを打つ文字を特定した練習用具が必要とされる。
【課題を解決するための手段】
【０００５】  本考案は、手っ甲バンドの手の甲にあたる部分にキーを打つ指の下方の位置したところに文字を付与し、キーを打つ手順を明確にした。【０００６】  手っ甲バンドの形状は、親指に関係しないので、手首の周囲とほぼ同一になるため、リストバンドとしても使えるよう軽量な素材を有している。【０００７】  手の甲の指の根元から数センチの所までとし、親指の動作に影響されず指先からの挿入で着脱も容易である。
【考案の効果】
【０００８】  上述の様に、本考案の手っ甲バンドによるキーボード速成練習用具は、親指以外の４指の根元から数センチの下方に打つキーの文字を付与しているので、スムースな指の動作を得ることができる。【０００９】  手っ甲バンドの形状は、親指に関係しない他の４指の指先より挿入し装着することができるので伸縮性の素材をもちい手っ甲バンド両端に袋編を施してあり着脱が容易である。
【図面の簡単な説明】
【００１０】
【図１】  本考案の手っ甲バンドによるキーボード速成練習用具の実施例を示す全体図である。
【図２】  手っ甲バンドに付与した各指に相当する文字の配列の拡大図。
【考案を実施するための最良の形態】
【００１１】  以下、本考案の実施形態を図１〜図２に基づいて説明する。【００１２】  図１において、両手の各指の根元より手の甲にあたる部分に、キーを打つ指の下方に位置したところに文字を付与し、左・右手１、２は手っ甲バンドの本体で、両手の手の甲が数センチ覆う程度になっており着脱を容易にした。両手の各々の手指（左）１ａ，１ｂ，１ｃ，１ｄ（右）２ａ，２ｂ，２ｃ，２ｄ。３は両手の親指であり、４は手の甲で、５は手っ甲バンドの上部・下部の袋編部である。
【符号の説明】
【００１３】１    左手側手っ甲バンドの本体
１ａ  人差し指下方の手の甲の文字（Ｒ，Ｆ，Ｖ，Ｔ，Ｇ，Ｂ）
１ｂ  中指下方の手の甲の文字    （Ｅ，Ｄ，Ｃ）
１ｃ  薬指下方の手の甲の文字    （Ｗ，Ｓ，Ｘ）
１ｄ  小指下方の手の甲の文字    （Ｑ，Ａ，Ｚ）
２    右手側手っ甲バンドの本体
２ａ  人差し指下方の手の甲の文字（Ｙ，Ｈ，Ｎ，Ｕ，Ｊ、Ｍ）
２ｂ  中指下方の手の甲の文字    （Ｉ，Ｋ）
２ｃ  薬指下方の手の甲の文字    （Ｏ，Ｌ）
２ｄ  小指下方の手の甲の文字    （Ｐ）
３    親指
４    手の甲
５    袋編部
【図１】
0003179967.tif 000003
【図２】
0003179967.tif 000004
【手続補正書】
【提出日】平成24年9月3日(2012.9.3)
【手続補正１】
【補正対象書類名】実用新案登録請求の範囲
【補正対象項目名】全文
【補正方法】変更
【補正の内容】
【実用新案登録請求の範囲】
【請求項１】
パソコンのキーボードのローマ字表示を、リストバンド状の形状をした手の甲側の親指を除く各指の付け根から手の甲側に、キーを打つローマ字の配列を特定し付与した手っ甲バンドによるキーボード速成練習用具。
【請求項２】
手っ甲バンドは、親指を除く手の甲側各指の付け根から手の甲側に数センチ幅の帯状になっており、手指からの着脱が容易で伸縮性の素材を有したことを特徴とする請求項１記載の手っ甲バンドによるキーボード速成練習用具。
(57)【要約】      （修正有）【課題】納豆の臭いとネバネバ感を軽減して食べやすくした味噌納豆を提供する。【解決手段】味噌と納豆を容器本体に収納する。【選択図】図２
0003179966.tif 000002
【実用新案登録請求の範囲】
【請求項１】
味噌と納豆を１パックにしたことを特徴とする味噌納豆
【考案の詳細な説明】
【技術分野】
【０００１】本考案は、納豆を食するとき味噌を味付けとして食するもので、１食分の納豆に味噌をセットしたものである。
【背景技術】
【０００２】一般的に納豆は醤油と辛子で食し、パック販売されているものは醤油と辛子がセットされている。健康を考慮し味噌の特性を生かした味噌味付けとするもので味噌と納豆を１パックとし食するときに簡便食としようとするものである。
【考案の概要】
【考案が解決しようとする課題】
【０００３】納豆は健康に良い食品である。
納豆を食する時は醤油を中心とした食べ方であった。この為納豆臭及びネバネバの強さが好き嫌いの原因となっていた。その欠点を軽減させようとするものである。納豆に味噌を混ぜると臭いとネバネバを和らげるため、好き嫌いの原因を解消しようとするものである。
【課題を解決するための手段】
【０００４】本考案は納豆を食べやすくする為味噌を活用しようとするものである。味噌に納豆を加えることにより納豆臭が軽減され、味噌の風味が食味を変える。またネバネバ感も軽減される。健康上も味噌の良さが加わる。味噌と納豆を１パックにして納豆を食べやすくしようとするものである。
【考案の効果】
【０００５】上述のように今迄は納豆に醤油を加えて食していた、その為納豆臭のネバネバの関係で食べる人に違和感を与えていた。本考案は納豆に味噌を加え調合することにより、納豆臭とネバネバの軽減に役立ち味噌特有の風味も加わってより健康食となりこれらの解消に役立つ。この味噌と納豆を１パックとすることは簡便に食することに役立つ
【図面の簡単な説明】
【０００６】
【図１】本考案の味噌納豆を収納する容器の平面図である
【図２】上述味噌納豆を収納する容器の側面の断面図である。
【考案を実施するための形態】
【０００７】納豆と味付けのための味噌を別々に収納し１パックとする。食する時に納豆と適した味噌を調合し好きなスパイスを加え味付けする。収納方法は納豆と味噌を入れる容器にそれぞれ入れられるように、１容器に２室を設ける。又水分の多い味噌の場合は、味噌が漏れないように味噌だけを入れる容器を別途にし、納豆とセットし１パックとする。
短期間に納豆を消費する場合は味噌と納豆を調合し１パックとしておく。この両者を１パックにしておくことが簡便食となり、又収納する時も簡易に収納できる。
【実施例】
【０００８】１食に適した納豆量と味噌量を別々に収納し１パックにしておき食する時に調合し食する。それぞれを別収納にしておくことにより味噌の量を加減できる。【０００９】１パックにする味噌の水分量が多い場合はチューブ状の容器に収納しておき１パックとする。【００１０】納豆を短期間で食する時は納豆と味噌を調合しておき１パックとする。
【産業上の利用可能性】
【００１１】食堂で販売する場合には１パックで味噌もセットされているので取り扱いが簡便である。【００１２】納豆を販売している店は１パックに味噌もセットされているので味噌納豆としてお客に販売できる。
【符号の説明】
【００１３】１．容器本体
２．容器蓋
３．納豆室
４．味噌室
【図１】
0003179966.tif 000003
【図２】
0003179966.tif 000004
【手続補正書】
【提出日】平成24年9月6日(2012.9.6)
【手続補正１】
【補正対象書類名】実用新案登録請求の範囲
【補正対象項目名】全文
【補正方法】変更
【補正の内容】
【実用新案登録請求の範囲】
【請求項１】
味噌と納豆を容器本体に収納したことを特徴とする味噌納豆
【手続補正２】
【補正対象書類名】明細書
【補正対象項目名】全文
【補正方法】変更
【補正の内容】
【考案の詳細な説明】
【技術分野】
【０００１】本考案は、納豆を食するとき味噌を味付けとして食するもので、１食分の納豆に味噌を容器本体に収納したものである。
【背景技術】
【０００２】一般的に納豆は醤油と辛子で食し、パック販売されているものは醤油と辛子がセットされている。健康を考慮し味噌の特性を生かした味噌味付けとするもので味噌と納豆を容器本体に収納し食するときに簡便食としようとするものである。
【考案の概要】
【考案が解決しようとする課題】
【０００３】納豆は健康に良い食品である。
納豆を食する時は醤油を中心とした食べ方であった。この為納豆臭及びネバネバの強さが好き嫌いの原因となっていた。その欠点を軽減させようとするものである。納豆に味噌を混ぜると臭いとネバネバを和らげるため、好き嫌いの原因を解消しようとするものである。
【課題を解決するための手段】
【０００４】本考案は納豆を食べやすくする為味噌を活用しようとするものである。味噌に納豆を加えることにより納豆臭が軽減され、味噌の風味が食味を変える。またネバネバ感も軽減される。健康上も味噌の良さが加わる。味噌と納豆を容器本体に収納して納豆を食べやすくしようとするものである。
【考案の効果】
【０００５】上述のように今迄は納豆に醤油を加えて食していた、その為納豆臭のネバネバの関係で食べる人に違和感を与えていた。本考案は納豆に味噌を加え調合することにより、納豆臭とネバネバの軽減に役立ち味噌特有の風味も加わってより健康食となりこれらの解消に役立つ。この味噌と納豆を容器本体に収納することは簡便に食することに役立つ
【図面の簡単な説明】
【０００６】
【図１】本考案の味噌納豆を収納する容器の平面図である
【図２】上述味噌納豆を収納する容器の側面の断面図である。
【考案を実施するための形態】
【０００７】納豆と味付けのための味噌を別々に収納し容器本体に収納する。食する時に納豆と適した味噌を調合し好きなスパイスを加え味付けする。収納方法は納豆と味噌を入れる容器にそれぞれ入れられるように、１容器に２室を設ける。又水分の多い味噌の場合は、味噌が漏れないように味噌だけを入れる容器を別途にし、納豆とセットし容器本体に収納する。
短期間に納豆を消費する場合は味噌と納豆を調合し容器本体に収納しておく。この両者を容器本体に収納しておくことが簡便食となり、又収納する時も簡易に収納できる。
【実施例】
【０００８】１食に適した納豆量と味噌量を別々に収納し容器本体に収納しておき食する時に調合し食する。それぞれを別収納にしておくことにより味噌の量を加減できる。【０００９】容器本体に収納する味噌の水分量が多い場合はチューブ状の容器に収納しておき１パックとする。【００１０】納豆を短期間で食する時は納豆と味噌を調合しておき容器本体に収納する。
【産業上の利用可能性】
【００１１】食堂で販売する場合には容器本体に味噌もセットされているので取り扱いが簡便である。【００１２】納豆を販売している店は容器本体に味噌もセットされているので味噌納豆としてお客に販売できる。
【符号の説明】
【００１３】１．容器本体
２．容器蓋
３．納豆室
４．味噌室
(57)【要約】      （修正有）【課題】部品点数を少なくすることができ、かつコンパクトに持ち運ぶことができる靴ベラを提供する。【解決手段】断面弧状の長尺ばね帯綱により構成され、断面弧状から断面平状に変形させることにより長尺状態から巻状状態となるバネ力を有する巻状可変長尺バネ板１１と、巻状可変長尺バネ板１１を被覆するとともに巻状可変長尺バネ板１１が長尺状態であるときに靴べらとして作用する略雫形状の靴べら作用部を形成する樹脂部材１２とを備える。【選択図】図１
0003179913.tif 000002
【実用新案登録請求の範囲】
【請求項１】
断面弧状の長尺ばね帯綱により構成され、断面弧状から断面平状に変形させることにより長尺状態から巻状状態となるバネ力を有する巻状可変長尺バネ板と、
該巻状可変長尺バネ板を被覆するとともに当該巻状可変長尺バネ板が長尺状態であるときに靴べらとして作用する略雫形状の靴べら作用部を形成する樹脂部材とを備えた
ことを特徴とする靴べら。
【考案の詳細な説明】
【技術分野】
【０００１】
本考案は、靴べらに関するものである。
【背景技術】
【０００２】
従来から、弾性体の先端に靴べらとして用いる靴べら作用部が設けられ、弾性体の基部がケースに固定され、ケース内に弾性体を巻き取ることによって靴べら作用部の柄部が収納される構成とされた靴べらがあった（特許文献１）。
【先行技術文献】
【特許文献】
【０００３】
【特許文献１】登録実用新案第３０４４５２４号公報
【考案の概要】
【考案が解決しようとする課題】
【０００４】
しかしながら、上述した従来の靴べらでは、ケースなど多くの部品点数が必要となり、複雑な構成となっていたという問題があった。
【０００５】
本考案は、上記の問題を解決すべく、部品点数が少なく、かつコンパクトに持ち運ぶことが可能な靴べらを提供することを目的とする。
【課題を解決するための手段】
【０００６】
本考案の靴べらは、断面弧状の長尺ばね帯綱により構成され、断面弧状から断面平状に変形させることにより長尺状態から巻状状態となるバネ力を有する巻状可変長尺バネ板と、該巻状可変長尺バネ板を被覆するとともに当該巻状可変長尺バネ板が長尺状態であるときに靴べらとして作用する略雫形状の靴べら作用部を形成する樹脂部材とを備えたことを特徴とする。
【０００７】
上記の構成としたことで、部品点数を少なくすることができ、かつコンパクトに持ち運ぶことができるようになる。
【考案の効果】
【０００８】
本考案によれば、部品点数を少なくすることができ、かつコンパクトに持ち運ぶことができるようになる。
【図面の簡単な説明】
【０００９】
【図１】本考案の一実施の形態における靴べらの構成の例を示す正面図である。
【図２】本考案の一実施の形態における靴べらのA−A’断面の例を示す断面図である。
【図３】本考案の一実施の形態における靴べらが巻状状態であるときの例を示す外観図である。
【考案を実施するための形態】
【００１０】
以下、本考案の一実施の形態について図面を参照して説明する。
【００１１】
図１は、本考案の一実施の形態における靴べら１０の構成の例を示す正面図である。図２は、本考案の一実施の形態における靴べら１０の図１におけるA−A’断面をB側から見た場合の例を示す断面図である。図１及び図２に示すように、靴べら１０は、表面側が凹状に湾曲した（裏面側が凸状に湾曲した）断面弧状の長尺ばね帯綱により構成された巻状可変長尺バネ板１１と、巻状可変長尺バネ板１１の全体を被覆するとともに、全体として靴べら形状を形成する樹脂部材１２（例えば、シリコーン樹脂）とを備える。本例の靴べら１０には、針金によって形成されたリング３０を介してフック２０が取り付けられている。
【００１２】
巻状可変長尺バネ板１１は、例えば靴べら１０の使用者が図２に示すC側から力を加えるなどすることによって断面弧状から断面平状に変形させることにより、例えば図１に示す長尺状態から例えば図３に示す巻状状態となるバネ力を有している。
【００１３】
樹脂部材１２は、巻状可変長尺バネ板１１が長尺状態であるときに靴べらとして作用する略雫形状の靴べら作用部（具体的には、靴べら１０のうち図１における左側部分）と、靴べらとして使用する際に使用者が把持する把持部（具体的には、靴べら１０のうち図１における右側部分）とを形成する。本例の靴べら１０は表面側が凹状に湾曲した断面弧状の巻状可変長尺バネ板１１を備えているため、この巻状可変長尺バネ板１１における湾曲部分によって靴べら作用部における使用者のかかとに接触する部分が形成されている。
【００１４】
使用者は、靴べら１０を使用する際には長尺状態（図１参照）としてから使用することとし、使用しないときは断面弧状から断面平状に変形させて巻状状態（図３参照）として持ち運ぶようにすればよい。そして、再度使用する際に、使用者は、巻状状態となっている巻状可変長尺バネ板１１を長尺状態に伸ばすことにより断面平状から断面弧状に変形させることによって、靴べら１０を巻状状態から長尺状態に変形させる。
【００１５】
巻状可変長尺バネ板１１は、靴べら１０の使用状態（長尺状態）においては剛性を有する。また、巻状可変長尺バネ板１１は、靴べら１０の不使用状態（巻状状態）においてはコンパクトな形状となる。この巻状可変長尺バネ板１１は、腕に巻回する腕章などに採用されている公知のバネを用いることとすればよく、ここでの詳細な説明は省略する。
【００１６】
なお、より円滑に靴を履くことができるようにするため、樹脂部材１２を潤滑部材でコーティングして摩擦を抑えるようにしてもよい。
【００１７】
以上に説明したように、上述した実施の形態では、靴べら１０が、断面弧状の長尺ばね帯綱により構成され、断面弧状から断面平状に変形させることにより長尺状態から巻状状態となるバネ力を有する巻状可変長尺バネ板１１と、巻状可変長尺バネ板１１を被覆するとともに巻状可変長尺バネ板１１が長尺状態であるときに靴べらとして作用する略雫形状の靴べら作用部を形成する樹脂部材１２とを備えることとしたため、部品点数を少なくすることができ、かつコンパクトに持ち運ぶことができるようになる。
【００１８】
すなわち、断面弧状から断面平状に変形させることにより長尺状態から巻状状態となるバネ力を有する巻状可変長尺バネ板１１を備えた構成としたため、靴べら１０の不使用状態（巻状状態）においてはコンパクトな形状とすることができ、収納や持ち運びを容易とすることが可能となる。
【００１９】
また、巻状可変長尺バネ板１１のバネ力により長尺状態から巻状状態に変形させる構成としたため、靴べらの把持部を巻き取るための部品が不要となり、部品点数を大幅に減らすことができ、簡単な構成でコンパクト形状に変形可能な靴べら１０を提供することができるようになる。
【産業上の利用可能性】
【００２０】
本考案によれば、部品点数を少なくすることができ、かつコンパクトに持ち運ぶことができるようにするのに有用である。
【符号の説明】
【００２１】
１０      靴べら
１１      巻状可変長尺バネ板
１２      樹脂部材
２０      リング
３０      フック
【図１】
0003179913.tif 000003
【図２】
0003179913.tif 000004
【図３】
0003179913.tif 000005
(57)【要約】      （修正有）【課題】屋外で使用するため蜀台の上に防風のためのホヤを取りつけたロウソク立てにおいて、ホヤ部分を二重化することで、転倒や外部からの衝撃にも耐え、火災の懼れを少なくしたロウソク立てを提供する。【解決手段】墓用ロウソク立ての、ホヤの部分が２重構造になっている。すなわち外側のプラスチック製ホヤ２の内側に耐火ガラス製ホヤ３を設ける。これにより、万が一転倒した場合にもロウソク５の火が耐火ガラスにより遮断されるためプラスチック製ホヤに燃え移ることを防止できる。更に、外部から衝撃を受けた場合にも外側のプラスチック製ホヤが内部のガラス製ホヤを衝撃から守るため、破損の懼れが極めて少ない。【選択図】図１
0003179914.tif 000002
【実用新案登録請求の範囲】
【請求項１】
プラスチック製ホヤの内側に耐火ガラス製ホヤを設置することを特徴とするロウソク立て。
【考案の詳細な説明】
【技術分野】
【０００１】
本考案は、ロウソク立てに関するものであり、転倒した場合にも失火を防止できる機能を有する。
【背景技術】
【０００２】
ロウソクを使用する場合には、転倒によって火災が発生したり、風によって火が消えることがある。これを防止するためにいくつかの方策が考案されている（特許文献１及び２など）。蜀台の上に防風のためのホヤを取り付けたロウソク立てが多く販売されている。ホヤはプラスチック若しくは耐火ガラスの材質のものが販売されている。プラスチック製のホヤは転倒した場合にも破損の懼れは少ないが、火災の可能性が高い。従って、直立以外での使用をしないことを注意喚起する文章が添付されている。一方、ガラス製のホヤは転倒時や外部からの衝撃等で破損する懼れがある。
【先行技術文献】
【特許文献】
【０００３】
【特許文献１】実開昭６３−１７７５６０号公報
【特許文献２】実開平６−４３９２０号公報
【考案の概要】
【考案が解決しようとする課題】
【０００４】
そこで本考案は、転倒や外部からの衝撃にも耐え、火災の懼れが極めて少ないロウソク立てを提供することである。
【課題を解決するための手段】
【０００５】
上記の課題を解決することができる本考案の墓用ロウソク立ては、プラスチック製ホヤの内側に耐火ガラスのホヤを設置することにより、転倒や外部からの衝撃にも耐え、火災の懼れが極めて少ないロウソク立てを提供することである。
【考案の効果】
【０００６】
本考案のロウソク立ては、転倒や外部からの衝撃にも耐え、火災の懼れが極めて少ない。
【図面の簡単な説明】
【０００７】
【図１】本考案のロウソク立ての正面図
【考案を実施するための形態】
【０００８】
本考案のロウソク立てを、図１示す例によって説明する。
図１は、本考案の墓用ロウソク立ての断面図であり、ホヤの部分が２重構造になっている。すなわち外側のプラスチック製ホヤの内側に耐火ガラス製ホヤを設けたものである。これにより、万が一転倒した場合にもロウソクの火が耐火ガラスにより遮断されるためプラスチック製ホヤに燃え移ることを防止できる。更に、外部から衝撃を受けた場合にも外側のプラスチック製ホヤが内部のガラス製ホヤを衝撃から守るため、破損の懼れが極めて少ない。
【産業上の利用可能性】
【０００９】
本考案のロウソク立ては、屋外でロウソクを使用するときのロウソク立てとして有用であり、仏具等に活用される。
【符号の説明】
【００１０】
１  ロウソク立て本体
２  プラスチック製ホヤ
３  耐火ガラス製ホヤ
４  台座
５  ロウソク
【図１】
0003179914.tif 000003
(57)【要約】      （修正有）【課題】操縦室の前方足元の確認を容易に行える作業車両を提供する。【解決手段】操縦室１ａを有する車両本体１に上下揺動自在に支持されたブーム２の先端側に、アタッチメント４が装着されるアーム３が設けられた作業車両であって、前記ブーム２には、該ブーム２が前記操縦室１ａの前方に向かって延びているときに前記操縦室１ａの前方足元をカメラ映像の取得対象及び照明対象とするカメラ及び照明装置が設置され、前記カメラ映像を表示するモニターが前記操縦室１ａ内に配置されている。【選択図】図１
0003179920.tif 000002
【実用新案登録請求の範囲】
【請求項１】
操縦室を有する車両本体に上下揺動自在に支持されたブームの先端側に、アタッチメントが装着されるアームが設けられた作業車両であって、前記ブームには、該ブームが前記操縦室の前方に向かって延びているときに前記操縦室の前方足元をカメラ映像の取得対象及び照明対象とするカメラ及び照明装置が設置され、前記カメラ映像を表示するモニターが前記操縦室内に配置されていることを特徴とする作業車両。
【考案の詳細な説明】
【技術分野】
【０００１】
この考案は、例えばバックホーとして使用可能な作業車両に関する。
【背景技術】
【０００２】
バックホーを用いた作業の効率性及び安全性の一層の改善を図るには、バックホーの操縦者にとっての死角をなるべく作らないようにすることが肝要である。そして、従来、例えば、バックホーの操縦室の天井に透明の天窓を設けて操縦者の視界を上方にまで広げる、操縦室の側方にサイドミラーを設けて後側方を目視確認可能とする、といった種々の対策がとられている。
【考案の概要】
【考案が解決しようとする課題】
【０００３】
しかし、操縦室の前方足元側は、バックホーの構造上、死角とならざるを得ないが、その対策は未だ不十分であるのが現状である。
【０００４】
本考案は上述の事柄に留意してなされたもので、その目的は、操縦室の前方足元の確認を容易に行える作業車両を提供することにある。
【課題を解決するための手段】
【０００５】
上記目的を達成するために、本考案に係る作業車両は、操縦室を有する車両本体に上下揺動自在に支持されたブームの先端側に、アタッチメントが装着されるアームが設けられた作業車両であって、前記ブームには、該ブームが前記操縦室の前方に向かって延びているときに前記操縦室の前方足元をカメラ映像の取得対象及び照明対象とするカメラ及び照明装置が設置され、前記カメラ映像を表示するモニターが前記操縦室内に配置されていることを特徴としている（請求項１）。
【考案の効果】
【０００６】
請求項１に係る考案では、操縦室の前方足元の確認を容易に行える作業車両が得られる。
【０００７】
すなわち、請求項１に係る考案の作業車両では、ブームに設置したカメラによって取得したカメラ映像を操縦室内のモニターで確認することにより、これまで操縦室からは見えなかった操縦室の前方足元の状態を容易に把握することができる。また、照明装置を用いることにより、夜間でもモニターを通じて操縦室の前方足元の様子を確認することができる。
【図面の簡単な説明】
【０００８】
【図１】本考案の一実施の形態に係る作業車両の構成を概略的に示す説明図である。
【図２】本考案の変形例に係る作業車両の構成を概略的に示す説明図である。
【考案を実施するための形態】
【０００９】
本考案の実施の形態について図面を参照しながら以下に説明する。
【００１０】
まず、図１に示すように、本実施の形態に係る作業車両は、バックホー（油圧ショベル）をベースマシンとしたものであり、操縦室１ａを有する車両本体１に上下揺動自在に支持されたブーム２の先端側にアーム３が設けられ、アーム３にはアタッチメント４が交換可能に装着される。
【００１１】
ここで、図１に示すアタッチメント４は、複数の撹拌翼５ａをスパイラル状に有する軸体５と、軸体５を軸回りに回転可能にその両端を保持する門型の支持枠６とを具備している。
【００１２】
そして、ブーム２の先端部には特殊ユニット７が設置され、この特殊ユニット７には、図１に示すようにブーム２が操縦室１ａの前方に向かって延びているときに操縦室１ａの前方足元（アタッチメント４付近の地面）をカメラ映像の取得対象及び照明対象とする図外のカメラ（例えばＣＣＤカメラやＣＭＯＳカメラ等の広角カメラ）及び照明装置（例えば投光器）が収容されている。
【００１３】
ここで、前記カメラが取得したカメラ映像は、操縦室１ａ内（例えば操縦席の前方）に配置されたモニター（図示していない）に表示される。また、前記照明装置は、例えば電球、ソケット、反射板を具備し、ソケットから制御部に配線され、制御部を介して操縦室１ａからオンオフ操作可能となっている。
【００１４】
上記の構成からなる作業車両では、これまで操縦室１ａから見えなかった操縦室１ａの前方足元（施工範囲）の確認（視認）が夜間でも容易に可能となる。
【００１５】
なお、本考案は、上記の実施の形態に何ら限定されず、本考案の要旨を逸脱しない範囲において種々に変形して実施し得ることは勿論である。例えば、以下のように変形することができる。
【００１６】
アーム３の先端には、図１に示したアタッチメント４に限らず、例えば図２に示すようなバケット８等、種々のアタッチメントを装着するようにしてもよい。
【００１７】
前記カメラと前記モニターとの通信は無線、有線の何れで行うようにしてもよい。
【００１８】
前記カメラと前記照明装置とは、ユニット化せず、ブーム２に対して個別に設置するようにしてもよい。
【００１９】
なお、上記変形例どうしを適宜組み合わせてもよいことはいうまでもない。
【符号の説明】
【００２０】
１    車両本体
１ａ  操縦室
２    ブーム
３    アーム
４    アタッチメント
５    軸体
５ａ  撹拌翼
６    支持枠
７    特殊ユニット
８    バケット
【図１】
0003179920.tif 000003
【図２】
0003179920.tif 000004
(57)【要約】      （修正有）【課題】コンクリート容器やシール材にひび割れが発生した場合に、放射能汚染物質微粒子が外部環境に漏洩する危険性が低い、放射能汚染物質保管用コンクリート容器を提供する。【解決手段】放射能汚染物質保管用コンクリート容器は、囲壁に形成された開口３ａ、３ｂと、開口を塞ぐフィルターとを備える。【選択図】図１
0003179960.tif 000002
【実用新案登録請求の範囲】
【請求項１】
囲壁に形成された開口と、開口を塞ぐフィルターとを備えることを特徴とする放射能汚染物質保管用コンクリート容器。
【請求項２】
互いに対向して囲壁に形成された一対の開口と、前記一対の開口を塞ぐフィルターとを備えることを特徴とする請求項１に記載の放射能汚染物質保管用コンクリート容器。
【考案の詳細な説明】
【技術分野】
【０００１】
本考案は、放射能汚染物質を一時的に保管するコンクリート容器に関するものである。
【背景技術】
【０００２】
特許文献１等に、放射能汚染物質を一時的に保管する密閉式のコンクリート容器が提案されている。
【先行技術文献】
【特許文献】
【０００３】
【特許文献１】実用新案登録第３１７３７１３号公報
【考案の概要】
【考案が解決しようとする課題】
【０００４】
放射能汚染地域の除染工程で発生したガレキ、土砂等の放射能汚染物質は、特許文献１等で提案されたコンクリート容器に収容されて仮置き場に一時的に保管された後、中間貯蔵施設を経て最終処分場へ移送される。中間貯蔵施設の設置が遅れると、放射能汚染物質はコンクリート容器に収容されたまま、長期に亙って仮置き場に保管されることになる。
放射能汚染物質を収容したコンクリート容器が長期に亙って仮置き場に保管された場合、コンクリートの経年劣化によるひび割れの発生や、コンクリート容器本体と蓋との接合部のシール材の径年劣化によるひび割れの発生等の可能性が増大する。コンクリート容器が密閉式であると、容器温度が上昇すると容器内圧が上昇するので、コンクリート本体やシール材にひび割れが発生した場合、ひび割れ部の微小隙間から放射能汚染物質微粒子が外部環境に漏洩する危険性がある。
本考案は、上記課題に鑑みてなされたものであり、コンクリート容器やシール材にひび割れが発生した場合に、放射能汚染物質微粒子が外部環境に漏洩する危険性が従来の密閉式コンクリート容器に比べて低い、放射能汚染物質の一時保管用コンクリート容器を提供することを目的とする。
【課題を解決するための手段】
【０００５】
上記課題を解決するために、本考案においては、囲壁に形成された開口と、開口を塞ぐフィルターとを備えることを特徴とする放射能汚染物質保管用コンクリート容器を提供する。
放射能汚染物質保管用コンクリート容器の囲壁に予め開口を形成しておけば、容器温度が上昇しても容器内圧の上昇が抑制されるので、コンクリート容器やシール材にひび割れが発生しても、当該ひび割れからの放射能汚染物質微粒子の漏洩が抑制される。コンクリート容器内の放射能汚染物質微粒子は、ひび割れ部の微小隙間よりも圧損が少ない前記開口を通って外部環境に流出しようとするが、開口を塞ぐフィルターで捕獲される。この結果、コンクリート容器やシール材にひび割れが発生した場合に、放射能汚染物質微粒子が外部環境に漏洩する危険性が従来の密閉式コンクリート容器に比べて低下する。
本考案の好ましい態様においては、放射能汚染物質保管用コンクリート容器は、互いに対向して囲壁に形成された一対の開口と、前記一対の開口を塞ぐフィルターとを備える。
コンクリート容器の対向する囲壁にそれぞれ一つずつ開口を形成すれば、コンクリート容器内に、一方の開口から他方の開口へ向かう空気流が形成され、コンクリート容器内の放射能汚染物質微粒子は前記空気流に連行されるので、ひび割れ部の微小隙間からの放射能汚染物質微粒子の外部環境への漏洩が更に効果的に防止される。
【考案の効果】
【０００６】
本考案により、コンクリート容器やシール材にひび割れが発生した場合に、放射能汚染物質微粒子が外部環境に漏洩する危険性が従来の密閉式コンクリート容器に比べて低い、放射能汚染物質の一時保管用コンクリート容器が提供される。
【図面の簡単な説明】
【０００７】
【図１】本考案の実施例に係る放射能汚染物質保管用コンクリート容器の、蓋と容器本体との斜視図である。
【図２】本考案の実施例に係る放射能汚染物質保管用コンクリート容器の、使用状態での断面図である。
【考案を実施するための形態】
【０００８】
本考案の実施例に係る放射能汚染物質保管用コンクリート容器を説明する。
図１、２に示すように、放射能汚染物質保管用コンクリート容器１は、上端が開放された有底筒体の容器本体２ａと、容器本体２ａの上端に係合し、シール材である接着材を用いて前記上端に密着固定されて、容器本体２ａの上端開口部を塞ぐ蓋２ｂとを備えている。
容器本体２ａの互いに対向する一対の側壁には開口３ａ、３ｂが形成されている。開口３ａ、３ｂはフィルター４ａ、４ｂによって塞がれている。
容器本体２ａには、漏洩防止シート５が敷設されている。
放射能汚染物質保管用コンクリート容器１は、コンクリート基礎６上に載置されて使用される。
図２から分かるように、放射能汚染地域の除染工程で発生したガレキ、土砂等の放射能汚染物質αは、漏洩防止シート５で包まれて容器本体２ａ内に収容される。漏洩防止シート５の開口部は接着材を用いて封止される。蓋２ｂが、容器本体２ａの上端に載置され、接着材を用いて前記上端に密着固定されて、容器本体２ａの上端開口部を塞ぐ。
【０００９】
開口３ａ、３ｂを介してコンクリート容器１の内部空間と外部環境とが連通しているので、容器温度が上昇しても容器内圧の上昇が抑制される。この結果、放射能汚染物質αを収容したコンクリート容器１が長期に亙って仮置き場に保管され、経年劣化によって容器１を構成するセメントコンクリートや容器本体２ａと蓋２ｂとを接着する接着材にひび割れが発生したとしても、当該ひび割れからの放射能汚染物質微粒子の漏洩が抑制される。コンクリート容器１内の放射能汚染物質αの微粒子は、ひび割れ部の微小隙間よりも圧損が少ない前記開口３ａ又は３ｂを通って外部環境に流出しようとするが、開口３ａ、３ｂを塞ぐフィルター４ａ又は４ｂで捕獲される。この結果、コンクリート容器１やシール材である接着材にひび割れが発生した場合に、放射能汚染物質微粒子が外部環境に漏洩する危険性が従来の密閉式コンクリート容器に比べて低下する。
コンクリート容器１の対向する側壁にそれぞれ開口３ａ、３ｂを形成したので、コンクリート容器１内に、一方の開口から他方の開口へ向かう空気流が形成され、コンクリート容器１内の放射能汚染物質微粒子は前記空気流に連行される。この結果、ひび割れ部の微小隙間からの放射能汚染物質微粒子の外部環境への漏洩がさらに効果的に防止される。
フィルター４ａ又は４ｂを取り外すことにより、開口３ａ又は３ｂを、コンクリート容器１内部の変化を監視する監視窓として利用することも可能である。
【産業上の利用可能性】
【００１０】
本考案は放射能汚染物質保管用コンクリート容器に広く利用可能である。
【符号の説明】
【００１１】
１  放射能汚染物質保管用コンクリート容器
２ａ  容器本体
２ｂ  蓋
３ａ、３ｂ  開口
４ａ、４ｂ  フィルター
【図１】
0003179960.tif 000003
【図２】
0003179960.tif 000004
(57)【要約】      （修正有）【課題】耕し前に草取りとして耕した後土よせ種まき後土をかぶせが出来る１つの道具で出来る万能型であることを特徴とする園芸鍬を提供する。【解決手段】三本の爪を有する園芸用鍬において、三本の爪の元部同士を連結する上部に三本の爪とは反対側に向かって突出するよう平坦な刃を固定し、三本の爪と平坦な刃とをくの字形に屈曲させるとともに、中爪の元部に柄を挿し込むための筒を設ける。【選択図】図１
0003179939.tif 000002
【実用新案登録請求の範囲】
【請求項１】
三本の爪を有する園芸用鍬において、三本の爪の元部同士を連結する上部７に三本の爪とは反対側に向かって突出するよう平坦な刃を固定し、三本の爪と平坦な刃とをくの字形に屈曲させるとともに、中爪の元部に柄１を挿し込むための筒を設けた園芸用鍬。
【請求項２】
前記平坦な刃の両側端はわずかに立ち上げられて、平坦な刃の強度を高めた。請求項１に記載の園芸用鍬。
【考案の詳細な説明】
【技術分野】
【０００１】
本考案は、草削り草の根堀り溝掘り土寄せ、土ならしや土上げをしたり三本鍬で耕したり草やゴミをかきよせたりレーキとして使うものである。
【背景技術】
【０００２】
耕す道具はいろいろあるが、草削り土よせがついた三本鍬はこれまでなかった
【先行技術文献】
【特許文献】
【０００３】
【特許文献１】特開平９−２７５７３５号
【考案の概要】
【考案が解決しようとする課題】
【０００４】
本考案が解決しようとする課題は、耕し前に草取りとして耕した後土よせ種まき後土をかぶせが出来る、１つの道具で出来る万能型であることを特徴とする園芸鍬を提供することである。
【課題を解決するための手段】
【０００５】
本考案は、上記課題を解決するために、第１の考案として、三本の爪を有する園芸用鍬において、三本の爪の元部同士を連結する上部７に３本の爪とは反対側に向かって突出するよう平坦な刃を固定し、三本の爪と平坦な刃とをくの字形に屈曲させるとともに、中爪の元部に柄１を挿し込むための筒を設けた園芸用鍬である。
【０００６】
本考案の第１の考案は、前記平坦な刃の両側端はわずかに立ち上げられて、平坦な刃の強度を高めた上記に記載の園芸用鍬である。
【考案の効果】
【０００７】
柄は三本爪の中側につけ図１のように平鍬の方は上記のようにその両端を少し曲げる図３に示すように、草削り耕す溝掘り溝上げ土ならし道具で畑仕事ができる
三本鍬は耕す、掘る、草やゴミをかき集めレーキとして使い、平鍬の方は草削り草の根掘り溝掘り土よせ土均し多目的に使用できる
【図面の簡単な説明】
【０００８】
【図１】本考案の園芸鍬の全体図である。
【図２】本考案の園芸鍬の側面図である。
【図３】本考案の園芸鍬の背面を示す図である。
【図４】本考案の平鍬の側面図である。
【考案を実施するための形態】
【０００９】
本考案を図面を用いて詳細に説明する。
図１は、本考案の園芸鍬の全体図を示す。
図１において示すように、上側が刃先付いた鍬部３であり、下側２が得レーキ役であり、草とかゴミをかき集めるように構成したレーキ付除草具である。
鍬部３の側面には折り返し４が設けてある。鍬部３と爪部２の元部に柄１が取り付ける構造となっている。柄１の材質は特に限定されないが、通常は木製が採用される。
柄１を取付ける取付け部５が設けてあり、取付け部５は爪部に補強部６を有していても良い。爪部２の本数は３本が採用され。
爪部２は補強のために平板７に接合していることが好ましい。
【００１０】
図２は、本考案の園芸鍬の側面を示す図である。
鍬３の柄１に対する角度αは、約６０〜７０度、好ましくは６５度付近である。爪の柄１に対する角度βは約８０〜９５度、好ましくは９０度付近である。
【００１１】
図３は、本考案の園芸鍬の背面を示す図である。
図３において、鍬３の両端部には立上り部４を設けることにより、鍬の強度を高めることができる。立上り部４の高さは、５〜１０ｍｍ、好ましくは６〜７ｍｍである。
草削りで左端の尖った所が草削りをしたり掘ったり、右端が大きい草の根をＶ型を打ち込んで引き抜くことができる。
【００１２】
図４は、鍬３と折り返し４の部分を拡大した図である。
【産業上の利用可能性】
【００１３】
本考案は、レーキ付除草具として有用である。
【符号の説明】
【００１４】
１  柄  
２  爪部
３  鍬部
４  鍬の立上り部
５  柄取付け部
６  柄取付け補強部
７  爪取付平板
【図１】
0003179939.tif 000003
【図２】
0003179939.tif 000004
【図３】
0003179939.tif 000005
【図４】
0003179939.tif 000006